(57)【特許請求の範囲】
【請求項１】
モデム装置を備えたコンピュータ装置と、そのコンピュータ装置とインターフェースを介してデータのやりとりが可能なファクシミリ装置とからなるシステムのデータ通信制御方法において、
常時は前記ファクシミリ装置が備えるモデム部とファクシミリ装置用通信回線とを接続すると共に、前記コンピュータ装置が備えるモデム装置とコンピュータ装置用通信回線とを接続する一方、必要に応じて前記モデム部と前記ファクシミリ装置用通信回線との接続を断つと共に前記モデム装置と前記ファクシミリ装置用通信回線とを接続する通信回線接続手段を有し、前記ファクシミリ装置は、前記モデム部が動作不良である場合はその旨を前記インターフェースを介して前記コンピュータ装置に通知し、前記ファクシミリ装置用通信回線にデータの着信があった場合において前記モデム部が動作不良であるときは、前記通信回線接続手段により前記モデム部と前記ファクシミリ装置用通信回線との接続を断つと共に前記モデム装置と前記ファクシミリ装置用通信回線とを接続する一方、前記コンピュータ装置は、前記モデム部の動作不良を前記ファクシミリ装置から通知されているときに前記モデム装置にデータの着信があったときは、そのデータを前記ファクシミリ装置に代わって代行受信することを特徴とするデータ通信制御方法。
【請求項２】
モデム装置を備えたコンピュータ装置と、そのコンピュータ装置とインターフェースを介してデータのやりとりが可能なファクシミリ装置とからなるシステムのデータ通信制御方法において、
常時は前記ファクシミリ装置が備えるモデム部とファクシミリ装置用通信回線とを接続すると共に、前記コンピュータ装置が備えるモデム装置とコンピュータ装置用通信回線とを接続する一方、必要に応じて前記モデム部と前記ファクシミリ装置用通信回線との接続を断つと共に前記モデム装置と前記ファクシミリ装置用通信回線とを接続する通信回線接続手段を有し、前記ファクシミリ装置は、前記モデム部が動作不良である場合はその旨を前記インターフェースを介して前記コンピュータ装置に通知し、前記ファクシミリ装置用通信回線にデータの着信があった場合において前記モデム部が動作不良であるときは、前記通信回線接続手段により前記モデム部と前記ファクシミリ装置用通信回線との接続を断つと共に前記モデム装置と前記ファクシミリ装置用通信回線とを接続する一方、前記コンピュータ装置は、前記モデム部の動作不良を前記ファクシミリ装置から通知されているときに前記モデム装置にデータの着信があったときは、そのデータを前記ファクシミリ装置に代わって代行受信すると共に前記インターフェースを介して前記ファクシミリ装置に転送し、前記ファクシミリ装置はその転送された代行受信データを記録出力することを特徴とするデータ通信制御方法。
【請求項３】
モデム装置を備えたコンピュータ装置と、そのコンピュータ装置とインターフェースを介してデータのやりとりが可能なファクシミリ装置とからなるシステムのデータ通信制御方法において、
前記ファクシミリ装置は、前記モデム部が動作不良である場合はその旨を前記インターフェースを介して前記コンピュータ装置に通知し、送信操作の入力があった場合において前記モデム部が動作不良であるときは、送信データを前記インターフェースを介して前記コンピュータ装置に転送する一方、前記コンピュータ装置は、前記モデム部の動作不良を前記ファクシミリ装置から通知されているときに前記インターフェースを介して前記ファクシミリ装置から送信データが転送されたときは、その転送された送信データを前記モデム装置を使用して代行送信することを特徴とするデータ通信制御方法。
【請求項４】
モデム装置を備えたコンピュータ装置と、そのコンピュータ装置とインターフェースを介してデータのやりとりが可能なファクシミリ装置とからなるシステムのデータ通信制御方法において、
常時は前記ファクシミリ装置が備えるモデム部とファクシミリ装置用通信回線とを接続すると共に、前記コンピュータ装置が備えるモデム装置とコンピュータ装置用通信回線とを接続する一方、必要に応じて前記モデム装置と前記コンピュータ装置用通信回線との接続を断つと共に前記モデム部と前記コンピュータ装置用通信回線とを接続する通信回線接続手段を有し、前記ファクシミリ装置は、前記コンピュータ装置用通信回線にデータの着信があった場合は、前記インターフェースを介して前記コンピュータ装置にデータ受信の可否を確認して受信可の旨の応答がない場合は、前記通信回線接続手段により前記モデム装置と前記コンピュータ装置用通信回線との接続を断つと共に前記モデム部と前記コンピュータ装置用通信回線とを接続して、前記着信データを前記コンピュータ装置に代わって代行受信して記録出力することを特徴とするデータ通信制御方法。
【請求項５】
モデム装置を備えたコンピュータ装置と、そのコンピュータ装置とインターフェースを介してデータのやりとりが可能なファクシミリ装置とからなるシステムのデータ通信制御方法において、
常時は前記ファクシミリ装置が備えるモデム部とファクシミリ装置用通信回線とを接続すると共に、前記コンピュータ装置が備えるモデム装置とコンピュータ装置用通信回線とを接続する一方、必要に応じて前記モデム装置と前記コンピュータ装置用通信回線との接続を断つと共に前記モデム部と前記コンピュータ装置用通信回線とを接続する通信回線接続手段を有し、前記ファクシミリ装置は、前記コンピュータ装置用通信回線にデータの着信があった場合は、前記インターフェースを介して前記コンピュータ装置にデータ受信の可否を確認して受信可の旨の所定の応答がない場合は、前記通信回線接続手段により前記モデム装置と前記コンピュータ装置用通信回線との接続を断つと共に前記モデム部と前記コンピュータ装置用通信回線とを接続して、前記着信データを前記コンピュータ装置に代わって代行受信して記憶し、その後前記インターフェースを介して前記コンピュータ装置に代行受信データの転送の可否を確認して転送可の所定の応答があった場合は前記記憶していた代行受信データを前記コンピュータ装置に転送することを特徴とするデータ通信制御方法。
【発明の詳細な説明】
【０００１】
【発明の属する技術分野】
本発明は、モデム装置を備えたコンピュータ装置と、そのコンピュータ装置とインターフェースを介してデータのやりとりが可能なファクシミリ装置とからなるシステムのデータ通信制御方法に関する。
【０００２】
【従来の技術】
上記従来のシステムにおいては、前記インターフェースを介して前記コンピュータ装置と、ファクシミリ装置とがデータをやりとりすることにより、一方の装置のデータを、他方の装置に転送して利用したり、前記ファクシミリ装置が備えるスキャナやプロッタを、前記コンピュータ装置のスキャナ装置や、プリンタ装置として利用したりすることが行われている。
【０００３】
一方、前記ファクシミリ装置は送信データの変調及び受信データの復調のためにモデム部を備えている。
【０００４】
また、前記コンピュータ装置も、前記ファクシミリ装置とは独立してデータ通信を行うために、モデム装置を備えているものがある。
【０００５】
それらのファクシミリ装置及びコンピュータ装置は、常時は各モデム部またはモデム装置を、それぞれ、ファクシミリ装置用通信回線またはコンピュータ装置用通信回線にそれぞれ接続してデータ通信を行っている。
【０００６】
ここで、前記ファクシミリ装置のモデム部が故障等の原因により動作不良になると、前記ファクシミリ装置用通信回線に着信したデータ、または、送信しようとするデータを前記モデム部が処理できないため、前記ファクシミリ装置宛てのデータの受信または、前記ファクシミリ装置からのデータ送信は、当然に行うことができなくなる。
【０００７】
また、同様に前記コンピュータ装置の電源が投入されていない場合や、故障等に原因により動作不良である場合は、前記コンピュータ装置用通信回線に着信したデータを前記コンピュータ装置が処理できないため、前記コンピュータ装置宛てのデータの受信は、当然に行うことができなくなる。
【０００８】
【発明が解決しようとする課題】
このように、従来のシステムにおいては、前記ファクシミリ装置のモデム部が動作不良になると当該ファクシミリ装置宛てデータの受信や、当該ファクシミリ装置からのデータの送信ができなくなる一方、前記コンピュータ装置が動作できない状態である場合は、当該コンピュータ装置宛てのデータの受信ができなくなるという問題点があった。
【０００９】
本発明は係る事情に鑑みてなされたものであり、前記ファクシミリ装置のモデム部または前記コンピュータ装置のモデム装置のいずれかが動作不良になっても前記ファクシミリ装置またはコンピュータ装置宛てのデータの受信、ならびに、前記ファクシミリ装置からのデータの送信ができるデータ通信制御方法を提供することを目的とする。
【００１０】
【課題を解決するための手段】
上記目的を達成するため、請求項１記載のデータ通信制御方法は、モデム装置を備えたコンピュータ装置と、そのコンピュータ装置とインターフェースを介してデータのやりとりが可能なファクシミリ装置とからなるシステムのデータ通信制御方法において、常時は前記ファクシミリ装置が備えるモデム部とファクシミリ装置用通信回線とを接続すると共に、前記コンピュータ装置が備えるモデム装置とコンピュータ装置用通信回線とを接続する一方、必要に応じて前記モデム部と前記ファクシミリ装置用通信回線との接続を断つと共に前記モデム装置と前記ファクシミリ装置用通信回線とを接続する通信回線接続手段を有し、前記ファクシミリ装置は、前記モデム部が動作不良である場合はその旨を前記インターフェースを介して前記コンピュータ装置に通知し、前記ファクシミリ装置用通信回線にデータの着信があった場合において前記モデム部が動作不良であるときは、前記通信回線接続手段により前記モデム部と前記ファクシミリ装置用通信回線との接続を断つと共に前記モデム装置と前記ファクシミリ装置用通信回線とを接続する一方、前記コンピュータ装置は、前記モデム部の動作不良を前記ファクシミリ装置から通知されているときに前記モデム装置にデータの着信があったときは、そのデータを前記ファクシミリ装置に代わって代行受信することを特徴とする。
【００１１】
請求項２記載のデータ通信制御方法は、モデム装置を備えたコンピュータ装置と、そのコンピュータ装置とインターフェースを介してデータのやりとりが可能なファクシミリ装置とからなるシステムのデータ通信制御方法において、常時は前記ファクシミリ装置が備えるモデム部とファクシミリ装置用通信回線とを接続すると共に、前記コンピュータ装置が備えるモデム装置とコンピュータ装置用通信回線とを接続する一方、必要に応じて前記モデム部と前記ファクシミリ装置用通信回線との接続を断つと共に前記モデム装置と前記ファクシミリ装置用通信回線とを接続する通信回線接続手段を有し、前記ファクシミリ装置は、前記モデム部が動作不良である場合はその旨を前記インターフェースを介して前記コンピュータ装置に通知し、前記ファクシミリ装置用通信回線にデータの着信があった場合において前記モデム部が動作不良であるときは、前記通信回線接続手段により前記モデム部と前記ファクシミリ装置用通信回線との接続を断つと共に前記モデム装置と前記ファクシミリ装置用通信回線とを接続する一方、前記コンピュータ装置は、前記モデム部の動作不良を前記ファクシミリ装置から通知されているときに前記モデム装置にデータの着信があったときは、そのデータを前記ファクシミリ装置に代わって代行受信すると共に前記インターフェースを介して前記ファクシミリ装置に転送し、前記ファクシミリ装置はその転送された代行受信データを記録出力することを特徴とする。
【００１２】
請求項３記載のデータ通信制御方法は、モデム装置を備えたコンピュータ装置と、そのコンピュータ装置とインターフェースを介してデータのやりとりが可能なファクシミリ装置とからなるシステムのデータ通信制御方法において、前記ファクシミリ装置は、前記モデム部が動作不良である場合はその旨を前記インターフェースを介して前記コンピュータ装置に通知し、送信操作の入力があった場合において前記モデム部が動作不良であるときは、送信データを前記インターフェースを介して前記コンピュータ装置に転送する一方、前記コンピュータ装置は、前記モデム部の動作不良を前記ファクシミリ装置から通知されているときに前記インターフェースを介して前記ファクシミリ装置から送信データが転送されたときは、その転送された送信データを前記モデム装置を使用して代行送信することを特徴とする。
【００１３】
請求項４記載のデータ通信制御方法は、モデム装置を備えたコンピュータ装置と、そのコンピュータ装置とインターフェースを介してデータのやりとりが可能なファクシミリ装置とからなるシステムのデータ通信制御方法において、常時は前記ファクシミリ装置が備えるモデム部とファクシミリ装置用通信回線とを接続すると共に、前記コンピュータ装置が備えるモデム装置とコンピュータ装置用通信回線とを接続する一方、必要に応じて前記モデム装置と前記コンピュータ装置用通信回線との接続を断つと共に前記モデム部と前記コンピュータ装置用通信回線とを接続する通信回線接続手段を有し、前記ファクシミリ装置は、前記コンピュータ装置用通信回線にデータの着信があった場合は、前記インターフェースを介して前記コンピュータ装置にデータ受信の可否を確認して受信可の旨の応答がない場合は、前記通信回線接続手段により前記モデム装置と前記コンピュータ装置用通信回線との接続を断つと共に前記モデム部と前記コンピュータ装置用通信回線とを接続して、前記着信データを前記コンピュータ装置に代わって代行受信して記録出力することを特徴とする。
【００１４】
請求項５記載のデータ通信制御方法は、モデム装置を備えたコンピュータ装置と、そのコンピュータ装置とインターフェースを介してデータのやりとりが可能なファクシミリ装置とからなるシステムのデータ通信制御方法において、常時は前記ファクシミリ装置が備えるモデム部とファクシミリ装置用通信回線とを接続すると共に、前記コンピュータ装置が備えるモデム装置とコンピュータ装置用通信回線とを接続する一方、必要に応じて前記モデム装置と前記コンピュータ装置用通信回線との接続を断つと共に前記モデム部と前記コンピュータ装置用通信回線とを接続する通信回線接続手段を有し、前記ファクシミリ装置は、前記コンピュータ装置用通信回線にデータの着信があった場合は、前記インターフェースを介して前記コンピュータ装置にデータ受信の可否を確認して受信可の旨の所定の応答がない場合は、前記通信回線接続手段により前記モデム装置と前記コンピュータ装置用通信回線との接続を断つと共に前記モデム部と前記コンピュータ装置用通信回線とを接続して、前記着信データを前記コンピュータ装置に代わって代行受信して記憶し、その後前記インターフェースを介して前記コンピュータ装置に代行受信データの転送の可否を確認して転送可の所定の応答があった場合は前記記憶していた代行受信データを前記コンピュータ装置に転送することを特徴とする。
【００１５】
【発明の実施の形態】
以下、添付図面を参照しながら、本発明の実施の形態を詳細に説明する。
【００１６】
図１は、本発明の実施形態に係るファクシミリ通信システムのブロック構成を示し、そのファクシミリ通信システムは、ファクシミリ装置１と、コンピュータ装置であるパソコン（パーソナルコンピュータ：ＰＣ）２０とから構成されている。
【００１７】
ファクシミリ装置１は、スキャナ２、プロッタ３、操作表示部４、符号化復号化部５、システム制御部６、ＲＯＭ７、ＲＡＭ８、モデム部９、網制御部１０、セントロニクスＩ／Ｆ１１、及び、システムバス１２とから構成されている。
【００１８】
スキャナ２は、原稿画像を読み取って画像データを得るものである。プロッタ３は、画像データを記録出力するものである。操作表示部４は、オペレータによる操作入力を受け入れるためのテンキーやその他の各種キーが配設されると共に、装置の動作状態や、オペレータへのメッセージを表示する表示器を備えるものである。符号化復号化部５は、画像データを符号化圧縮する一方、符号化画像データを復号伸長するものである。システム制御部６は、装置各部を制御するものである。ＲＯＭ７は、システム制御部６の制御手順を記したプログラムが格納されるものである。ＲＡＭ８は、システム制御部６の作業領域となると共に、必要に応じて画像データが一時的に記憶されるものである。モデム部９は、網制御部１０を介して回線から受信するデータを復調する一方、送信するデータを変調するものである。網制御部６は、回線接続の制御を行うものである。なお、網制御部６については、後で詳しく説明する。セントロニクスＩ／Ｆ１１は、後述するパソコン２０のセントロニクスＩ／Ｆ２４と対になるインターフェースであり、ファクシミリ装置１とパソコン２０とが相互にデータをやりとりするためのインターフェースとなるものである。
【００１９】
一方、パソコン２０は、キーボード制御部２１、ＭＰＵ２２、ＲＳ−２３２ＣＩ／Ｆ２３、セントロニクスＩ／Ｆ２４、ディスプレイ制御部２５、ＲＯＭ２６、ＲＡＭ２７、ハードディスク装置２８、及びシステムバス２９とから構成され、また、周辺装置として、モデム装置３０、キーボード４０、及び、ディスプレイモニタ５０を備えている。
【００２０】
キーボード制御部２１は、キーボード４０から入力されたキー操作を解読してＭＰＵ２２に通知するための制御を行うものである。ＭＰＵ２２は、装置各部を制御するものである。ＲＳ−２３２ＣＩ／Ｆ２３はモデム装置３０の間で送受信データをやりとりするインターフェースである。モデム装置３０は、ファクシミリ装置１の網制御部１０を介して回線から受信するデータを復調する一方、送信するデータを変調するものである。セントロニクスＩ／Ｆ２４は、ファクシミリ装置１のセントロニクスＩ／Ｆ１１と対になるインターフェースであり、ファクシミリ装置１とパソコン２０とが相互にデータをやりとりするためのインターフェースとなるものである。ディスプレイ制御部２５は、ＭＰＵ２２からの指示に応じてディスプレイモニタ５０への画像信号を生成するものである。ディスプレイモニタ５０は、そのディスプレイ制御部２５からの画像信号を可視表示するものである。ＲＯＭ７は、ＭＰＵ２２の制御手順を記したプログラムが格納されるものである。ＲＡＭ８は、ＭＰＵ２２の作業領域となると共に、必要に応じて画像データが一時的に記憶されるものである。ハードディスク装置２８は、ＭＰＵ２２の制御手順が記されたプログラムや、各種データが蓄積されるものである。
【００２１】
図２に、ファクシミリ装置１の網制御部１０の内部構成と、ファクシミリ装置１用の通信回線である回線（ＦＡＸ）、パソコン２０用の通信回線である回線（ＰＣ）と、ファクシミリ装置１のモデム部９と、パソコン２０のモデム装置３０との接続関係と、網制御部１０を制御するシステム制御部６とを示す。
【００２２】
同図において、システム制御部６は、常時は、網制御部１０の切換えスイッチＳ１を制御して、モデム部９と回線（ＦＡＸ）とを接続すると共に、切換えスイッチＳ２を制御して、モデム装置３０と回線（ＰＣ）とを接続いている。これにより、常時は、ファクシミリ装置１は、自装置が備えるモデム部９と回線（ＦＡＸ）を使用してデータ通信を行う一方、パソコン２０は、ファクシミリ装置１とは独立して、自装置が周辺装置として備えるモデム装置３０と回線（ＰＣ）を使用してデータ通信を行える。
【００２３】
切換えスイッチＳ１は、３つの接続モードを持っている。１つは、モデム部９と回線（ＦＡＸ）とを接続するモード、１つは、モデム部９と回線（ＰＣ）とを接続するモード、そして、もう１つは、モデム部９を回線（ＦＡＸ）にも回線（ＰＣ）にも接続しないモードである。
【００２４】
また、切換えスイッチＳ２も、３つの接続モードを持っている。１つは、モデム装置３０と回線（ＰＣ）とを接続するモード、１つは、モデム装置３０と回線（ＦＡＸ）とを接続するモード、そして、もう１つは、モデム装置３０を回線（ＰＣ）にも回線（ＦＡＸ）にも接続しないモードである。
【００２５】
また、システム制御部６は、回線（ＦＡＸ）の呼び出し信号の検出と、回線（ＰＣ）の呼出し信号の検出を行い、回線（ＦＡＸ）または回線（ＰＣ）へのデータの着信を知ることができる。
【００２６】
以上のように構成されるシステムにおける、本発明の第１、第２、及び、第３実施形態に係るモデム部動作チェック処理について、図３を参照して説明する。
【００２７】
同図において、モデム部動作チェック処理手順は、左側のファクシミリ装置１側における処理手順と、右側のパソコン２０における処理手順とにより構成されている。
【００２８】
先ず、ファクシミリ装置１側におけるモデム部動作チェック処理手順について説明する。なお、このファクシミリ装置１側におけるモデム部動作チェック処理手順は、ファクシミリ装置１が動作中は定期的に実行されるものである。
【００２９】
さて、システム制御部６は、値が０ならモデム部９の動作が正常であることを示し、値が１ならモデム部９の動作が不良であることを示すフラグＦｅｒｒにとりあえず初期値として０を代入する（処理１０１）。
【００３０】
そして、モデム部９の動作テストを行う（処理１０２）、この動作テストは、いわゆるループバックテストで、モデム部９自身が変調したデータをモデム部９自身が受信して復調することにより、モデム部９の変復調機能やその他の機能をテストするものである。その動作テストの結果モデム部９に動作不良がある場合（判断１０３のＹｅｓ）は、フラグＦｅｒｒに１を代入し（処理１０４）、動作不良がなく正常な場合（判断１０３のＮｏ）は、フラグＦｅｒｒに０を代入して（処理１０５）、セントロニクスＩ／Ｆ１１を介してパソコン２０にフラグＦｅｒｒの値を通知する（処理１０６）。
【００３１】
一方、パソコン２０側においては、ＭＰＵ２２は、フラグＦｅｒｒの値が、セントロニクスＩ／Ｆ２４を介してファクシミリ装置１から通知されるのを監視し（判断２０１のＮｏループ）、通知があった場合は（判断２０１のＹｅｓ）、フラグＦｅｒｒの値が１かを調べる（判断２０２）。１である場合（判断２０２のＹｅｓ）は、動作モードを従属モードにし（処理２０３）、１でない（０である）場合（判断２０２のＮｏ）は、動作モードを通常モードにして（処理２０４）、判断２０１に戻る。
【００３２】
これにより、ファクシミリ装置１のモデム部９の動作不良を、ファクシミリ装置１自身は、フラグＦｅｒｒの値を調べることにより知ることができ、また、パソコン２０は、ファクシミリ装置１からフラグＦｅｒｒの値を通知されることにより知ることができる。なお、パソコン２０における従属モードとは、ファクシミリ装置１からの指示に対しては優先的に従う動作モードである。
【００３３】
次に、本発明の第１実施形態に係る、ファクシミリ装置１における画像データ着信時の処理について、図４を参照して説明する。
【００３４】
同図において、システム制御部６は、回線（ＦＡＸ）の呼び出し信号の検出を監視する（処理３０１のＮｏループ）。検出した場合は（判断３０１のＹｅｓ）は、フラグＦｅｒｒの値が１かを調べ（判断３０２）、１でない（０である）場合は、モデム部９が正常で、通常通りの画像データの受信が可能であるため、従来同様のデータ受信処理を行ってから（処理３０３）、判断３０１に戻る。
【００３５】
フラグＦｅｒｒの値が１である場合は（判断３０２Ｙｅｓ）は、セントロニクスＩ／Ｆ１１を介してパソコンに代行受信を指示する（処理３０４）。そして、網制御部１０を制御して、モデム部９を回線（ＦＡＸ）から切離し（処理３０５）、モデム装置３０を回線（ＰＣ）から回線（ＦＡＸ）に切換え接続する（処理３０６）。
【００３６】
そして、パソコンからの受信完了通知が有るまで待機する（判断３０７のＮｏループ）。受信完了通知があった場合は（判断３０７のＹｅｓ）、網制御部１０を制御して、モデム装置３０を回線（ＦＡＸ）から回線（ＰＣ）に切換え接続し（処理３０８）、モデム部９を回線（ＦＡＸ）に再接続して（処理３０９）、回線の接続状態を元に戻して判断３０１に戻る。
【００３７】
図５は、図４に示した、ファクシミリ装置１における着信処理に対応するものであり、本発明の第１実施形態に係る、パソコン２０における従属モード時処理の手順について示している。
【００３８】
図５において、パソコン２０のＭＰＵ２２は、ファクシミリ装置１から代行受信の指示があるかを監視する（判断４０１のＮｏループ）。図４に示す手順における処理３０４により、ファクシミリ装置１から代行受信の指示があった場合は（判断４０１のＹｅｓ）、モデム装置３０を使用して、回線（ＦＡＸ）を介して伝送されてくる、本来はファクシミリ装置１宛ての画像データを受信する処理を行う（処理４０２）。この受信処理は、回線（ＰＣ）を介して伝送されてくる画像データの受信とかわるところがないため、従来同様の受信処理が行える。
【００３９】
処理４０２での受信処理が完了すると、セントロニクスＩ／Ｆ２４を介してファクシミリ装置１へ受信完了通知をする（処理４０３）。この処理４０３は、図４に示す手順における判断３０７に対応する。
【００４０】
このように、第１実施形態によれば、ファクシミリ装置１のモデム部９の動作不良時にファクシミリ装置１宛ての画像データの着信があると、回線を切り替えてモデム装置３０を使用してパソコン２０に受信させることができる。パソコン２０により受信されたファクシミリ装置１宛ての画像データは、パソコン２０上で稼動するアプリケーションにより、ディスプレイモニタ５０に表示したり、あるいは、パソコン２０にプリンタ装置を接続して、その接続したプリンタ装置により記録出力したり、ハードディスク装置２８に格納したりすることができる。
【００４１】
次に、ファクシミリ装置１において行われる、本発明の第２実施形態に係る受信データ転送処理について図６を参照して説明する。同図に示す受信データ転送処理は、図４に示した第１実施形態に係る着信処理における処理３０９と、判断３０１との間に追加される処理である。
【００４２】
図６において、システム制御部６は、セントロニクスＩ／Ｆ１１を介してパソコンに受信データ転送要求をし（処理５０１）、その要求に応答したパソコン２０からセントロニクスＩ／Ｆ１１を介して、本来はファクシミリ装置１宛ての受信データを転送してもらう（処理５０２）。そして、その転送された受信データをプロッタ３から記録出力する（処理５０３）。
【００４３】
図７は、図４に示した、ファクシミリ装置１における着信処理に図６に示した受信データ転送処理を追加した処理に対応するものであり、本発明の第２実施形態に係る、パソコン２０における従属モード時処理の手順について示している。
【００４４】
図７において、パソコン２０のＭＰＵ２２は、ファクシミリ装置１から代行受信の指示があるかを監視する（判断６０１のＮｏループ）。図４に示す手順における処理３０４により、ファクシミリ装置１から代行受信の指示があった場合は、モデム装置３０を使用して回線（ＦＡＸ）を介して伝送されてくる、本来はファクシミリ装置１宛ての画像データを受信する処理を行う（処理６０２）。この受信処理は、回線（ＰＣ）を介して伝送されてくる画像データの受信とかわるところがないため、従来同様の受信処理が行える。
【００４５】
処理６０２での受信処理が完了すると、セントロニクスＩ／Ｆ２４を介してファクシミリ装置１へ受信完了通知をする（処理６０３）。この処理６０３は、図４に示す手順における判断３０７に対応する。
【００４６】
そして、ファクシミリ装置１から受信データ転送要求が有るかを監視する（判断６０４のＮｏループ）。この判断６０４は図６に示す手順における処理５０１に対応する。転送要求が有る場合（判断６０４のＹｅｓ）は、本来はファクシミリ装置１宛ての受信データをファクシミリ装置１に転送する（処理６０５）。この処理６０５は、図６に示す手順における処理５０２に対応する。
【００４７】
このように、第２実施形態によれば、ファクシミリ装置１のモデム部１の動作不良時にファクシミリ装置１宛ての画像データの着信があると、回線を切り替えてモデム装置３０を使用してパソコン２０に受信させて、その受信データをファクシミリ装置１に転送し、ファクシミリ装置１のプロッタ２で記録出力させることができ、見かけ上はモデム部９が正常である場合同様の受信処理を行うことができる。
【００４８】
次に、本発明の第３実施形態に係る、ファクシミリ装置１における画像データ送信時の処理について、図８を参照して説明する。
【００４９】
同図において、システム制御部６は、オペレータにより操作表示部４を介した送信操作の入力が有るかを監視する（処理７０１のＮｏループ）。送信操作が有った場合（判断７０１のＹｅｓ）は、フラグＦｅｒｒの値が１かを調べ（判断７０２）、１でない（０である）場合は、モデム部９が正常で、通常通りの画像データの送信が可能であるため、従来同様のデータ送信処理を行ってから（処理７０３）、判断７０１に戻る。なお、送信すべき画像データは、オペレータによる送信操作によりスキャナ２で読み取ることで得られる。
【００５０】
フラグＦｅｒｒの値が１である場合は（判断７０２Ｙｅｓ）、セントロニクスＩ／Ｆ１１を介してパソコン２０に代行送信を指示する（処理７０４）。そして、セントロニクスＩ／Ｆ１１を介してパソコン２０に送信データを転送する（処理７０５）。なお、送信操作て入力された送信宛先等の付帯データも併せて転送される。
【００５１】
そして、パソコン２０からの送信完了通知が有るまで待機する（判断７０６のＮｏループ）。送信完了通知があった場合は（判断７０６のＹｅｓ）、送信結果を記録して（処理７０７）、判断７０１に戻る。
【００５２】
図９は、図８に示した、ファクシミリ装置１における送信処理に対応するものであり、本発明の第３実施形態に係る、パソコン２０における従属モード時処理の手順について示している。
【００５３】
図９において、パソコン２０のＭＰＵ２２は、ファクシミリ装置１から代行送信の指示があるかを監視する（判断８０１のＮｏループ）。図８に示す手順における処理７０４により、ファクシミリ装置１から代行送信の指示があった場合は（判断８０１のＹｅｓ）、セントロニクスＩ／Ｆ２４を介してファクシミリ装置１からの送信データの転送をうける（処理８０２）。この処理８０２は、図８に示す処理におれる処理７０５に対応する。
【００５４】
そして、ファクシミリ装置１から転送された送信データを、それと併せて転送された宛先に、モデム装置３０を使用して回線（ＰＣ）を介して送信する処理を行う（処理８０３）。この送信処理は、パソコン２０自らがモデム装置３０を使用して、回線（ＰＣ）を介してデータ送信する場合とかわるところがないため、従来同様の送信処理が行える。
【００５５】
処理８０３での送信処理が完了すると、セントロニクスＩ／Ｆ２４を介してファクシミリ装置１へ受信完了通知をする（処理８０４）。この処理８０４は、図８に示す手順における判断７０６に対応する。
【００５６】
このように、第３実施形態によれば、ファクシミリ装置１のモデム部９の動作不良時にファクシミリ装置１から画像データの送信操作がされると、そのままではモデム部９が動作不良で、正常なデータ送信がてきないため、送信すべきデータをパソコン２０に転送し、パソコン２０がモデム装置３０を使用して送信するため、見かけ上はモデム部９が正常である場合同様の送信処理を行うことができる。
【００５７】
次に、本発明の第４実施形態に係る、ファクシミリ装置１における代行受信処理について、図１０を参照して説明する。
【００５８】
同図において、システム制御部６は、回線（ＰＣ）の呼び出し信号の検出を監視する（処理９０１のＮｏループ）。検出した場合は（判断９０１のＹｅｓ）は、セントロニクスＩ／Ｆ１１を介してパソコン２０に受信の可否を確認する（処理９０２）。ここで、もし、パソコン２０の電源が投入され、正常に動作していて、ファクシミリ装置１からの受信の可否の確認に対して、受信可の応答ができれば、パソコン２０は、少なくともデータ受信機能に関しては正常に動作しており、受信可の応答ができなければ、データ受信が不可能な状態にあると判断できる。
【００５９】
受信可の応答が有った場合（判断９０３のＹｅｓ）は、回線（ＰＣ）に着信したデータをパソコン２０が自ら受信できるということであるため、何もしないで判断９０１に戻る。なお、判断９０３の判断結果がＹｅｓなってすぐに判断９０１に戻ると、処理９０２が繰り返されることがあるが、判断９０３の判断結果がＹｅｓなってからしばらく待ってから判断９０１に戻るようにすれば解決できる。
【００６０】
さて、受信可の応答が（所定時間内に）なかった場合（判断９０３のＮｏ）は、、網制御部１０を制御して、モデム装置３０を回線（ＰＣ）から切離し（処理９０４）、モデム部９を回線（ＦＡＸ）から回線（ＰＣ）に切換え接続する（処理９０５）。
【００６１】
そして、本来はパソコン２０宛てである回線（ＰＣ）を介して着信した画像データを受信してＲＡＭ８に蓄積してから（処理９０６）。網制御部１０を制御して、モデム部９を回線（ＰＣ）から回線（ＦＡＸ）に切換え接続し（処理９０７）、モデム装置３０を回線（ＰＣ）に再接続して（処理９０８）、回線の接続状態を元に戻して判断９０１に戻る。
【００６２】
以上の代行受信処理によりファクシミリ装置１が受信した、本来はパソコン２０宛ての画像データは、プロッタ３により記録出力しても良いが、本来はパソコン２０宛ての画像データであるため、パソコン２０に転送してもよい。
【００６３】
図１１は、図１０の代行受信処理で受信したデータを、パソコン２０に転送する場合における処理であり、第４実施形態に係る、ファクシミリ装置１における代行受信データ転送処理の手順について示している。
【００６４】
図１１において、システム制御部６、セントロニクスＩ／Ｆ１１を介しパソコン２０に代行受信データの転送の可否を確認する（処理１００１）。転送可の応答がない場合（判断１００２のＮｏ）は、処理１００１に戻り、再び転送の可否を確認する。転送可の応答が有った場合（判断１００２のＹｅｓ）は、パソコン２０に代わって受信した代行受信データをＲＡＭ８から読み出してセントロニクスＩ／Ｆ１１を介してすべてパソコン２０に転送する（処理１００３）。
【００６５】
図１２は、図１１に示したファクシミリ装置１における代行受信データ転送処理に対応するものであり、第４実施形態に係る、パソコン２０における代行受信データ転送処理の手順について示している。
【００６６】
図１２において、パソコン２０のＭＰＵ２２は、ファクシミリ装置１から転送可否の確認が有るかを監視する（判断１１０１のＮｏループ）。この判断１１０１は、図１１に示した手順における処理１００１に対応する。
【００６７】
ファクシミリ装置１から代行受信データ転送可否の確認があった場合判断１１０１のＹｅｓ）は、セントロニクスＩ／Ｆ２４を介してファクシミリ装置１に転送可の応答をする（処理１１０２）。この処理１１０２は、図１１に示した手順における判断１００２に対応する。そして、ファクシミリ装置１からセントロニクスＩ／Ｆ２４を介して代行受信データの転送をうける（処理１１０３）。この処理１１０３は、図１１に示した手順における判断１００３に対応する。
【００６８】
このように、第４実施形態によれば、パソコン２０宛てのデータの着信時にパソコン２０が自ら、その着信データを正常に受信できそうもないときは、ファクシミリ装置１が代行受信し、その後パソコン２０が正常に動作できるようになって、ファクシミリ装置１に代行受信された、本来はパソコン２０宛てであった着信データの転送を受けることができるようになったときに、その着信データは、パソコン２０に転送されるため、見かけ上パソコン２０が、パソコン２０宛てのデータの着信時に、その着信データを正常に受信できる状態にあった場合と同様に、着信データの受信ができる。
【００６９】
【発明の効果】
請求項１に係る発明によれば、前記ファクシミリ装置のモデム部が動作不良である場合に、前記ファクシミリ装置用通信回線を介して前記ファクシミリ装置宛にデータの着信があった場合は、前記ファクシミリ装置用通信回線が、前記コンピュータ装置のモデム装置に接続されて、前記ファクシミリ装置宛てのデータが前記コンピュータ装置により代行受信されるため、前記ファクシミリ装置のモデム部が動作不良であっても、前記ファクシミリ装置宛てのデータを受信することができる。
【００７０】
請求項２に係る発明によれば、前記ファクシミリ装置のモデム部が動作不良である場合に、前記ファクシミリ装置用通信回線を介して前記ファクシミリ装置宛にデータの着信があった場合は、前記ファクシミリ装置用通信回線が、前記コンピュータ装置のモデム装置に接続されて、前記ファクシミリ装置宛てのデータが前記コンピュータ装置により代行受信され、その代行受信されたデータは、前記ファクシミリ装置に転送されて記録出力されるため、前記ファクシミリ装置のモデム部が動作不良であっても、前記ファクシミリ装置宛てのデータを、見かけ上前記モデム部の動作が正常である場合同様に受信することができる。
【００７１】
請求項３に係る発明によれば、前記ファクシミリ装置のモデム部が動作不良である場合に送信操作の入力があった場合は、送信データを前記コンピュータ装置に転送して、前記コンピュータ装置のモデム装置を使用して代行送信するため、前記ファクシミリ装置のモデム部が動作不良であっても、前記ファクシミリ装置からの送信データを見かけ上前記モデム部の動作が正常である場合同様に送信することができる。
【００７２】
請求項４に係る発明によれば、前記コンピュータ装置用通信回線を介して前記コンピュータ装置宛にデータの着信があった場合に、前記コンピュータ装置の電源が投入されていない等の理由により、当該コンピュータ装置が受信できない場合は、前記コンピュータ装置用通信回線が、前記ファクシミリ装置のモデム部に接続されて、前記コンピュータ装置宛てのデータが前記ファクシミリ装置により代行受信されて記録出力されるため、前記コンピュータ装置が着信データを受信不可能な場合でも、前記コンピュータ装置宛てのデータを受信することができる。
【００７３】
請求項５に係る発明によれば、前記コンピュータ装置用通信回線を介して前記コンピュータ装置宛にデータの着信があった場合に、前記コンピュータ装置の電源が投入されていない等の理由により、当該コンピュータ装置が受信できない場合は、前記コンピュータ装置用通信回線が、前記ファクシミリ装置のモデム部に接続されて、前記コンピュータ装置宛てのデータが前記ファクシミリ装置により代行受信されて記憶され、その後、前記コンピュータ装置の電源が投入される等して前記記憶していた代行受信データの転送ができるよになった場合は、当該代行受信データは前記コンピュータ装置に転送されるため、前記コンピュータ装置が着信データを受信不可能なときに着信した前記コンピュータ装置宛てのデータを、見かけ上前記モデム装置の動作が正常である場合同様に受信することができる。
【図面の簡単な説明】
【図１】本発明の実施の形態に係るファクシミリ装置及びコンピュータ装置とにより構成されるファクシミリ通信システムのブロック構成図である。
【図２】回線（ＦＡＸ）、回線（ＰＣ）、モデム部、及びモデム装置の接続形態を示す図である。
【図３】本発明の第１、第２、及び、第３実施形態に係るモデム部動作チェック処理の手順を示すフローチャートである。
【図４】本発明の第１実施形態に係る、ファクシミリ装置における着信処理の手順を示すフローチャートである。
【図５】本発明の第１実施形態に係る、コンピュータ装置における従属モード時処理の手順を示すフローチャートである。
【図６】本発明の第２実施形態に係る、ファクシミリ装置における受信データ転送処理の手順を示すフローチャートである。
【図７】本発明の第２実施形態に係る、コンピュータ装置における従属モード時処理の手順を示すフローチャートである。
【図８】本発明の第３実施形態に係る、ファクシミリ装置における送信処理の手順を示すフローチャートである。
【図９】本発明の第３実施形態に係る、コンピュータ装置における従属モード時処理の手順を示すフローチャートである。
【図１０】本発明の第４実施形態に係る、ファクシミリ装置における代行受信処理の手順を示すフローチャートである。
【図１１】本発明の第４実施形態に係る、ファクシミリ装置における代行受信データ転送処理の手順を示すフローチャートである。
【図１２】本発明の第４実施形態に係る、コンピュータ装置における代行受信データ転送処理の手順を示すフローチャートである。
【符号の説明】
１  ファクシミリ装置
２  スキャナ
３  プロッタ
４  操作表示部
５  符号化復号化部
６  システム制御部
７  ＲＯＭ
８  ＲＡＭ
９  モデム部
１０  網制御部
１１  セントロニクスＩ／Ｆ
１２  システムバス
２０  コンピュータ装置
２１  キーボード制御部
２２  ＭＰＵ
２３  ＲＳ−２３２ＣＩ／Ｆ
２４  セントロニクスＩ／Ｆ
２５  ディスプレイ制御部
２６  ＲＯＭ
２７  ＲＡＭ
２８  ハードディスク装置
２９  システムバス
３０  モデム装置
４０  キーボード
５０  ディスプレイモニタ
【図１】
0003556770.tif 000002
【図２】
0003556770.tif 000003
【図３】
0003556770.tif 000004
【図４】
0003556770.tif 000005
【図５】
0003556770.tif 000006
【図６】
0003556770.tif 000007
【図７】
0003556770.tif 000008
【図８】
0003556770.tif 000009
【図９】
0003556770.tif 000010
【図１０】
0003556770.tif 000011
【図１１】
0003556770.tif 000012
【図１２】
0003556770.tif 000013